(57)【要約】【課題】  本発明の目的は、装着後のフォトマスクに与える歪が小さく、しかもペリクルの脱着が容易で、かつ信頼性の高いペリクルおよびこのペリクルを装着するフォトマスクを提供することである。【解決手段】  本発明のペリクル４０は、少なくとも４つの辺を有するペリクルフレーム１０を用いて構成され、ペリクルフレーム１０の少なくとも４箇所の角部には、フォトマスク７０側となる端面からペリクル膜４２が設けられる端面に向かって雌ネジ１１が設けられており、また、このペリクル４０のフォトマスク７０側となる端面には、弾性体層４３が設けられている。そして、この弾性体層４３は、このペリクル４０がフォトマスク７０に締結手段１０１によって装着された場合に、フォトマスク７０表面との接触幅が０．３〜１．０ｍｍの範囲になるように潰れることで、ペリクル４０とフォトマスク７０との間の密封性を良くするものである。【選択図】図４
2014211591.tif 000002
【特許請求の範囲】
【請求項１】
少なくとも４つの辺を有するペリクルフレームを用いて構成されたペリクルであって、前記ペリクルフレームの少なくとも４箇所の角部には、フォトマスク側となる端面からペリクル膜が設けられる端面に向かって雌ネジが設けられ、フォトマスク側となる前記端面には、弾性体層が設けられていることを特徴とするペリクル。
【請求項２】
前記弾性体層は、前記ペリクルがフォトマスクに装着された場合に、該フォトマスク表面との接触幅が０．３〜１．０ｍｍの範囲となるような形状であることを特徴とする請求項１に記載のペリクル。
【請求項３】
前記弾性体層の形状は、その断面形状がペリクルフレームの幅方向について見た場合に中央を頂点とする略半円形状であることを特徴とする請求項１又は２に記載のペリクル。
【請求項４】
前記弾性体層は、デュロメータ硬度Ａで５０°以下であることを特徴とする請求項１〜３の何れかに記載のペリクル。
【請求項５】
前記弾性体層は、シリコーン樹脂、フッ素変性シリコーン樹脂、ＥＰＭ樹脂、ＥＰＤＭ樹脂、ＳＢＳ樹脂およびＳＥＢＳ樹脂からなる群より選択されることを特徴とする請求項１〜４の何れかに記載のペリクル。
【請求項６】
前記弾性体層は、その表面が接着性を有さないことを特徴とする請求項１〜５の何れかに記載のペリクル。
【請求項７】
前記雌ネジに対応した位置に貫通孔が設けられていることを特徴とする前記請求項１〜６の何れかに記載のペリクルを装着するフォトマスク。
【請求項８】
前記貫通孔は、パターン面の反対側が大径となったテーパ形状又は段差のある形状であることを特徴とする請求項７に記載のフォトマスク。
【請求項９】
前記貫通孔に先端部に雄ネジを有する締結手段を挿入し、該雄ネジと前記雌ネジとを締結して前記ペリクルが装着されることを特徴とする請求項７又は８に記載のフォトマスク。
【発明の詳細な説明】
【技術分野】
【０００１】
本発明は、半導体デバイス、ICパッケージ、プリント基板、液晶ディスプレイ又は有機ELディスプレイ等を製造する際のゴミよけとして使用されるペリクルおよびこのペリクルを装着するフォトマスクに関するものである。
【背景技術】
【０００２】
LSI、超LSIなどの半導体又は液晶ディスプレイ等の製造においては、半導体ウエハーあるいは液晶用ガラス板に紫外光を照射してパターンを作製するが、この時に用いるフォトマスクにゴミが付着していると、このゴミが紫外光を遮ったり、紫外光を反射してしまうために、転写したパターンの変形、短絡などが発生して品質が損なわれるという問題があった。
【０００３】
このため、これらの作業は通常クリーンルームで行われているが、それでもフォトマスクを常に清浄に保つことが難しい。そこで、フォトマスク表面にゴミよけとしてペリクルを貼り付けした後に露光を行っている。この場合、異物はフォトマスクの表面には直接付着せず、ペリクル上に付着するために、リソグラフィー時に焦点をフォトマスクのパターン上に合わせておけば、ペリクル上の異物は転写に無関係となる。
【０００４】
一般に、ペリクルは、光を良く透過させるニトロセルロース、酢酸セルロース又はフッ素樹脂などからなる透明なペリクル膜を、アルミニウム、ステンレス鋼などからなるペリクルフレームの上端面に貼り付け又は接着して構成されている。また、ペリクルフレームの下端には、フォトマスクに装着するためのポリブデン樹脂、ポリ酢酸ビニル樹脂、アクリル樹脂、シリコーン樹脂等からなる粘着層及び粘着層の保護を目的とした離型層（セパレータ）が設けられている。
【０００５】
近年、露光パターンの微細化に伴い、ペリクルを貼り付けることによって生じるフォトマスクの歪みが問題視されるようになってきた。フォトマスクとペリクルフレームがマスク粘着材を介して締結されると、ペリクルフレームの形状がフォトマスクの形状に影響を与えて、フォトマスク表面に描画されていたパターンが本来のものから変形してしまうためである。
【０００６】
そのため、従来から種々の解決策が提案されている。例えば、特許文献１には、ペリクルフレームのマスクに張り付く側の平坦度を３０μｍ以下で、かつそのペリクルフレームのペリクル膜側の平坦度を１５μｍ以下に抑制することで、マスクの変形を小さく抑えることができると記載されている。
また、特許文献２には、マスクに貼付されるペリクルの粘着剤の厚さと弾性率とを所望値に規定することで、ペリクルフレーム端面の凹凸を粘着剤層に吸収して、マスク面の平滑度を十分に保つことができると記載されている。
特許文献３には、ペリクル粘着層として柔軟なゲル組成物からなるものを用いることで、ペリクルをマスク等に貼り付けた場合のマスク等の歪みを低減することができると記載されている。
さらに、特許文献４には、粘着剤層の粘着力を１Ｎ／ｍから100Ｎ／ｍの範囲に低く抑えることで、ペリクル貼り付けによるマスクの変形が抑制されると記載されている。
【０００７】
しかし、これらの提案では、ペリクルフレームがフォトマスク形状に与える影響を低減することができる十分な解決策とはなっておらず、未だ問題も多い。例えば、粘着層を柔らかいものとした場合には、ペリクル剥離後にフォトマスク表面に粘着剤の残渣が残りやすく、その除去や再洗浄に多大な手間がかかるという問題がある。
【０００８】
また、粘着剤の平坦度を向上させたとしても、大きな加圧力でしっかりと貼り付けないと、粘着層とフォトマスクの間にエア溜まりが生じて密着性が悪化し、ペリクルの内外が通気してしまうことがあるために、信頼性という点で問題がある。一方で、この問題を解決するために、強い加圧力でしっかり貼り付けると、ペリクルフレームの形状によってフォトマスクに与える影響が大きくなり、フォトマスクパターンの歪を大きくしてしまうという問題がある。
【０００９】
以上のことから、ペリクル装着によってフォトマスクに与える歪を小さく抑えることができると共に、ペリクルの脱着が容易で、かつ使用中の信頼性も高いというペリクルは、これまで提案されていないのが実情である。
【先行技術文献】
【特許文献】
【００１０】
【特許文献１】特開２００８―２５６９２５号
【特許文献２】特開２００８―６５２５８号
【特許文献３】特開２０１１―７６０４２号
【特許文献４】特開２０１２―１０８２７７号
【発明の概要】
【発明が解決しようとする課題】
【００１１】
そこで、本発明は、上記のような実情に鑑みなされたものであり、装着後のフォトマスクに与える歪が小さく、しかもペリクルの脱着が容易で、かつ信頼性の高いペリクルおよびこのペリクルを装着するフォトマスクを提供することを目的とする。
【００１２】
そして、本発明者らは、この目的を達成するために、小さな締付荷重で高いシール性が得られるＯリングなどのガスケットの機能に着目し、この機能をペリクルフレーム上に設けることができないか鋭意実験を繰り返したところ、ペリクルフレーム１０上に弾性体層を設けこれを加圧しても、フォトマスクに与える歪が小さく、かつ高い密封性を保持することができることを見出して、本発明に至ったものである。
【課題を解決するための手段】
【００１３】
すなわち、本発明のペリクルは、少なくとも４つの辺を有するペリクルフレームを用いて構成され、ペリクルフレームの少なくとも４箇所の角部には、フォトマスク側となる端面からペリクル膜が設けられる端面に向かって雌ネジが設けられ、また、フォトマスク側となる前記端面には、弾性体層が設けられていることを特徴とする。
【００１４】
そして、この弾性体層の形状は、ペリクルがフォトマスクに装着された場合に、フォトマスク表面との接触幅が０．３〜１．０ｍｍの範囲となるようなものが好ましく、その断面形状がペリクルフレームの幅方向について見た場合に中央を頂点とする略半円形状であることが好ましい。また、弾性体層の硬度も、デュロメータ硬度Ａで５０°以下が好ましく、その材質としては、シリコーン樹脂、フッ素変性シリコーン樹脂、ＥＰＭ樹脂、ＥＰＤＭ樹脂、ＳＢＳ樹脂およびＳＥＢＳ樹脂からなる群より選択されるのが好ましい。さらに、弾性体層の表面は、接着性を有さないことが好ましい。
【００１５】
本発明のペリクルを装着するフォトマスクは、雌ネジに対応した位置に貫通孔を有することを特徴とする。また、この貫通孔の形状は、パターン面の反対側が大径となったテーパ形状又はパターン面の反対側が大径となった段差のある形状であることが好ましく、この貫通孔には、先端部に雄ネジを有する締結手段が挿入され、雄ネジと雌ネジとの締結によってペリクルが装着される。
【発明の効果】
【００１６】
本発明では、ペリクルおよびフォトマスクは、ガスケットの機能を有する弾性体層を介してネジ機構の締結手段で締結されるから、マスク粘着層が不要となるために、フォトマスク表面に粘着剤の残渣が残るようなことはなく、ペリクル取り外し後のフォトマスクの洗浄も極めて容易となる。また、本発明の弾性体層は、エア溜まりの発生が無く容易に潰れるから、極めて弱い押しつけ力でも完全にシールすることができるために、装着によりフォトマスクに与える歪を極めて小さく抑えることができると共に、ネジ機構により締結するので密封の信頼性も高く、ペリクルの取り外しも容易となる。
【図面の簡単な説明】
【００１７】
【図１】ペリクルフレームの一実施形態を示す平面図である。
【図２】ペリクルフレームの一実施形態を示す側面図である。
【図３】図１のＡ−Ａ断面図である。
【図４】本発明のペリクルの一実施形態を示す斜視図である。
【図５】図４のＢ部の断面図である。
【図６】図４のＣ部の断面図である。
【図７】フォトマスク基板の一実施形態を示す平面図である。
【図８】図７のＤ−Ｄ断面図である。
【図９】Ｄ−Ｄ断面の他の実施形態を示す図である。
【図１０】本発明のペリクルをフォトマスク基板に装着した実施形態を示す断面図である。
【図１１】図１０の角部の拡大断面図である。
【発明を実施するための形態】
【００１８】
以下、本発明の一実施形態について説明するが、本発明はこれに限定されるものではない。
【００１９】
図１乃至３は、ペリクルフレーム１０の一実施形態を示すものである。図１は、フォトマスク装着側から見た平面図であり、その外形は矩形をなし、角部には雌ネジ１１が設けられている。この雌ネジ１１は、フォトマスク装着側からペリクル膜側へ向かって設けられており、この実施形態のように非貫通とするのが好ましいが、寸法や加工上の都合で貫通としてもよい。
【００２０】
この雌ネジ部１１は、ペリクルフレーム１０に直接設けられているが、別に加工して作ったものをペリクルフレーム１０にインサートして取り付けてもよい。緩み防止剤の塗布や横方向からのピン、止めネジ（図示しない）などの緩み止めの手段を付与することもできる。このペリクルフレーム１０の材質としては、アルミニウム合金の他、炭素鋼、ステンレス鋼などの鉄系合金、ＰＥＥＫをはじめするエンジニアリングプラスチック、繊維強化プラスチックなどを用いることができる。
また、ペリクルフレーム１０の平坦度は、本発明の目的を達成するためには、少なくとも３０μｍ以下であるのが好ましく、より好ましくは１５μｍ以下である。ペリクルフレーム１０の側面には、ハンドリングのための治具孔１２および通気孔１３を設けてもよい。
【００２１】
図４は、このようなペリクルフレーム１０を用いて構成されたペリクル４０の斜視図であり、フォトマスク装着面から見た向きで示されている。この図４に示す実施形態では、雌ネジ１１は、角部だけに配置されているが、ペリクルフレーム１０の辺長が長い場合には、角部の他にも適宜雌ネジ部を増やして配置することが好ましい。ペリクルフレーム１０の外形は、矩形に限定されず、雌ネジ１１の位置を考慮すれば、円形や八角形状であってもよい。
【００２２】
ペリクルフレーム１０は、その一方の面にアクリル接着剤、シリコーン接着剤、フッ素系接着剤などから成るペリクル膜接着層４１が設けられ、ペリクル膜４２がシワの無いように接着されている。一方、その反対の面には弾性体層４３が設けられるが、この弾性体層４３の形状は、図５に示すように、ペリクルフレーム１０の幅方向に見た場合にその中央を頂点とする略半円形状となっている。
【００２３】
そして、この弾性体層４３は、図４ではペリクルフレーム１０の幅方向全体に設けられているが、幅方向の一部だけに設けられてもよい。また、この弾性体層４３は、図６に示すように、ペリクルフレーム１０の雌ネジ部１１を有する角部では、雌ネジ１１よりも内側に配置され、しかも、この弾性体層４３の近傍には、段差１４が設けられている。この段差１４は、弾性体層４３を塗布によって設ける際に、塗布幅を規制すると共に、雌ネジ１１内に塗布物が流入しないように設けられている。
【００２４】
本発明では、ペリクルフレーム１０をフォトマスク基板７０に接着させる必要がないので、このペリクルフレーム１０の弾性体層４３の表面は、接着性を有しないのが好ましいが、ペリクル４０をフォトマスク基板７０に装着する際に、弾性体層４３の表面が微粘着性を有していれば、ペリクルフレーム１０がフォトマスクに接触した際に容易に横ずれしないために作業上好都合であるから、微粘着性を有しているものでもよい。
【００２５】
この弾性体層４３は、以上の観点および耐オゾン性、発ガス、耐光性、硬度、成形性などの観点から、シリコーン樹脂、フッ素変性シリコーン樹脂、ＥＰＭ樹脂、ＥＰＤＭ樹脂、ＳＢＳ樹脂およびＳＥＢＳ樹脂からなる群より選択されることが好ましい。これら以外の樹脂でも、ペリクルフレーム１０上に塗布・成形することが可能であれば、弾性体層４３として適用は可能であるが、硫黄を用いる加硫が必要な材質は、ペリクル使用中にヘイズ発生の原因となる恐れがあるために不適である。
【００２６】
また、この弾性体層４３の形状は、フォトマスク基板７０に装着された場合に、フォトマスク基板７０との接触幅が０．３〜１．０ｍｍの範囲となるように仕上げることが好ましく、信頼性および装着時の荷重の観点から、０．４〜０．６ｍｍの範囲がより好ましい。接触幅が０．３ｍｍ未満では、装着時の押しつけ力が弱く密封性が良くないからであり、また、１．０ｍｍを超えると、押しつけ力が強すぎて弾性体層４３の潰れ量が多くなって反発力が大きくなるために、フォトマスク基板７０に与える歪が大きくなるからである。なお、この接触幅は、フォトマスク側からガラスを素通しして見た場合に、弾性体層がガラスと接触して色調が違って見える幅を言い、実体顕微鏡などの低倍率の拡大鏡で測定することができる。
【００２７】
さらに、弾性体層４３の硬度も、後述する締結手段１０１による押しつけによって弾性体層４３が適度に潰れて、ペリクル４０とフォトマスク基板７０との接触幅が０．３〜１．０ｍｍの範囲となるような、デュロメータ硬度Ａで５０°以下のものを選択するのが好ましい。
【００２８】
このように、本発明では、弾性体層４３とフォトマスク基板７０との接触幅が０．３〜１．０ｍｍの範囲となるように、弾性体層４３の形状および硬度、さらには後述する締結手段１０１によるフォトマスク基板７０への押しつけ量を設定することが好ましい。また、弾性体層４３の頂点部分の平坦度も、高いほど好ましいことは言うまでもなく、好ましくは３０μｍ以下であり、より好ましくは１０μｍ以下である。
【００２９】
本発明のペリクル４０は、以上のように構成されているから、このペリクル４０の装着により生じるフォトマスク基板７０の歪を極めて低減することができる。特に、微細加工が要求される半導体製造用途のフォトマスク基板に適用するとより大きな効果が発揮されるが、適用するペリクル４０の大きさには特に制限はなく、一辺１５０ｍｍ程度の半導体製造用ペリクルから一辺が１０００ｍｍを超えるディスプレイ製造用のものまで適用可能である。
【００３０】
次に、本発明のペリクル４０を装着するフォトマスク基板７０の実施形態について説明する。本発明のフォトマスク基板７０には、ペリクル４０のネジ孔１１に対応して貫通孔７１が設けられている。この貫通孔７１は、パターン面の反対側を大径とするのがよく、図８に示すテーパ形状であるか、又は図９に示す段差形状であるのがよい。このような形状とする目的は、後述するように、締結手段１０１がフォトマスク基板７０の表面よりも突出しないように収めるためであり、ペリクル４０とフォトマスク基板７０との間の装着寸法に影響を及ぼすことから、このテーパ形状又は段差の加工深さを精度よく管理することが必要である。
【００３１】
そして、テーパ形状とした場合は、締結手段１０１の挿入・締結時に発塵が少ないという利点があり、また、段差形状とした場合は、より正確に加工深さの寸法管理が可能となるために、ペリクル４０とフォトマスク基板７０との間の装着寸法および弾性体層４３の押し付け量を正確に管理することができるという利点がある。
【００３２】
以下、本発明のペリクル４０をフォトマスク基板７０に装着する実施形態について説明するが、この実施形態は、図９に示す段差形状の貫通孔７１を有するフォトマスク基板７０を用いた場合である。
【００３３】
ペリクル４０は、フォトマスク基板７０のパターン面の反対側から挿入され、締結手段１０１により締め付け固定されている。この締結手段１０１は、図１１に示すように、先端部と中間部との間に段付き部１１２を有する丸棒形状である。そして、その先端部は、雄ネジ１１１で構成され、中間部は、円筒部分１１４で構成され、他の一端は、大径部１１３で構成されている。また、この大径部１１３の天面には、締結手段１０１の締結又は解除が可能なように、＋や−形状の溝又は四角、六角などの凹みを加工して設けるのが好ましい（図示しない）。
【００３４】
本発明のペリクル４０の装着は、この締結手段１０１によって行われるので雌ネジ１１に雄ネジ１１１を締め付ける時にネジからの発塵が懸念されるが、フォトマスク基板７０のパターン面は、ペリクルフレーム１０に設けられた弾性体層４３によって完全に密封されているから、発塵による汚染等の問題は生じない。
【００３５】
また、締結手段１０１は、段付き部１１２を有しているが、この段付き部１１２の位置、換言すれば円筒部分１１４の長さは、ペリクル４０とフォトマスク基板７０の取り付け寸法および弾性体層４３の潰れ具合に大きく影響するために、前述のように、フォトマスク基板７０における貫通孔７１の段差寸法を管理するだけでなく、この円筒部１１４の長さをも適切に管理することが好ましく、その長さのばらつきはできるだけ小さく抑えることが必要である。
【００３６】
そして、フォトマスク基板７０における貫通孔７１の段差寸法、ペリクルフレームの段差１４の寸法および締結手段１０１の円筒部１１４の長さ（又は段付き部１１２の位置）は、ペリクル４０を装着するフォトマスク基板７０厚さ、ペリクルフレーム１０高さ、弾性体層４３高さおよび露光装置から要求されるスタンドオフ高さ（フォトマスクパターン面からペリクル膜までの高さ）に応じて設定されるが、少なくとも弾性体層４３の潰れ具合（潰れ量）によって弾性体層４３とフォトマスク基板７０との接触幅が０．３〜１．０ｍｍの範囲内となるように、各設計値を設定することが好ましい。
【００３７】
ペリクル４０を装着する場合に、例えば、この締結手段１０１を多く締め付けて強く締結すれば、ペリクル４０の固定の確実性は増すが、一方で弾性体層４３の潰れ量が多くなって反発力が大きくなり、フォトマスク基板７０の歪が大きくなる。したがって、締結手段１０１の円筒部１１４の長さを適切に設定すると共に、弾性体層４３の形状および硬さと装着時の潰れ量をも適切に設定して、フォトマスク基板７０の平坦度の変化量が１０％以下となるように抑えることが好ましい。
【００３８】
また、本発明のペリクル４０では、その弾性体層４３の頂点が凸となっているために接触幅が狭くなっているが、このような狭い接触幅でも極めて低荷重の押しつけで確実に内部を密封することができる。また、本発明では、接着してペリクル４０の自重を垂直支持する従来の機能を必要としないから、接触幅の狭さは何ら問題とならない。
【００３９】
次に、ペリクル４０をフォトマスク基板７０から取り外す作業について説明する。このペリクル４０の取り外す作業は、締結手段１０１を解除するだけで行うことができるから、従来のように粘着剤を引き剥がすための治具等は必要がない。また、フォトマスク基板７０上の粘着剤残渣を洗浄する必要も無いために、再洗浄が極めて容易であるから、大幅な作業時間の短縮が図られるほか、粘着剤残渣の汚染によりフォトマスク基板が使用不能になるという事態も発生しない。
【００４０】
以上のように、本発明のペリクル４０によれば、ペリクル４０の装着・取り外しの交換作業の場合に大きな利点があるが、それ以外でも、例えば、ペリクル装着時のフォトマスク基板７０にトラブルがあった場合でも大きな利点がある。すなわち、ペリクル４０の装着後に、フォトマスク基板７０のパターン面に異物が発見された場合でも、すぐに締結手段１０１の解除によってペリクル４０を取り外して、フォトマスク基板７０上の異物を除去することができるし、その後再びペリクル４０を容易に装着することもできる。
【００４１】
また、本発明のペリクル４０では、粘着剤等を使用していないために、粘着剤跡を除去するウェット洗浄が不要であるから、大幅な時間短縮が可能であり、取り外したペリクル４０を再利用することも可能であるから、使用済みのペリクル４０が無駄に廃棄されることもない。
【実施例】
【００４２】
以下、本発明の実施例について説明するが、この実施例では、図１および図２に示すような形態のペリクルフレーム１０を機械加工により製作した。このペリクルフレーム１０は、外寸１１５ｘ１４９ｍｍ、内寸１１１ｘ１４５ｍｍ、高さ３．５ｍｍの矩形状であり、その平坦度は２０μｍであり、その側面にはハンドリングのための治具孔１２および通気孔１３が設けられている。そして、その材質としては、Ａ７０７５アルミニウム合金を用い、機械加工後には表面に黒色アルマイト処理を施した。このペリクルフレーム１０の角部には、図３に示す高さ０．１５±０．０１ｍｍの段差１４が設けられ、その外側には非貫通のＭ１、ピッチ０．２の雌ネジ１１が設けられている。
【００４３】
次いで、このペリクルフレーム１０をクリーンルーム内に搬入し、界面活性剤と純水で洗浄し、乾燥した後に、図４に示すペリクル４０を製作した。雌ネジ１１のない側の端面には、フッ素系樹脂からなるペリクル膜接着層４１を設け、ここにスピンコート法にて製造したフッ素系樹脂（旭硝子株式会社製、商品名サイトップ）製のペリクル膜４２を接着した。また、他の一方の端面にはフッ素変性シリコーン樹脂（商品名ＳＩＦＥＬ、信越化学工業（株）製）を塗布し、硬化させて高さ０．５５ｍｍ、硬度がデュロメータＡ３５°の弾性体層４３を設けた。この弾性体層４３の形状は、図５の断面図に示す凸形状であり、また、この弾性体層４３は、図６に示すように、その角部において雌ネジ１１の内側になるように設けられており、さらに、通気孔１３は、ＰＴＦＥからなるメンブレンフィルタ４４のアクリル粘着層を介して取り付けられている。
【００４４】
一方、フォトマスク基板７０としては、図７および図９に示すような形態のもので、１５２ｘ１５２ｘ厚さ６．３５ｍｍの寸法で、その平坦度が０．２７μｍの合成石英製フォトマスク基板を用意した。通常、フォトマスク基板７０は、片面（パターン面）にＣｒやＭｏＳｉなどの遮光膜を形成するが、この実施例では省略している。フォトマスク基板７０の角部近傍４か所には、ダイヤモンド刃を用いた機械加工によりφ３．２ｍｍ、深さ２．５±０．０１ｍｍの段差が付いたφ１．５ｍｍの貫通孔７１を設けた。
【００４５】
以上のように製作されたフォトマスク基板７０の一面に前記のように製作したペリクル４０を締結手段１０１により装着した。装着後の断面を図１０および図１１に示す。使用する締結手段１０１は、ＳＵＳ３０４ステンレス鋼を用いて機械加工により製作し、円筒部１１４はφ１．２５ｍｍ、長さ４．５±０．０１ｍｍに設定した。そして、このような締結手段１０１の先端のＭ１ピッチ０．２の雄ネジ１１１をペリクルフレーム１０の雌ネジ１１に段差１１２が突き当たるまで締め込むようにして、ペリクル４０を装着した。この時、弾性体層４３は約０．０５ｍｍ潰され、その接触幅は、約０．５ｍｍとなっており、その全周にわたって途切れや接触幅の極端な増減は見られなかった。
また、フォトマスク基板７０の平坦度を確認したところ、０．２８μｍであったので、ペリクル４０の装着前の平坦度０．２７μｍと比べれば、わずか０．０１μｍ程度の小さな歪に抑制できることが確認された。
【００４６】
最後に、締結手段１０１の解除によってペリクル４０をフォトマスク基板７０から取り外して、フォトマスク基板７０の弾性体層４３が接触していた部位を暗室内で集光ランプにより観察したところ、線状のごく薄い接触痕は見られるものの、異物や粘着性の残渣のようなものは全く観察されず、清浄な状態を保持していることが確認された。
【符号の説明】
【００４７】
１０  ペリクルフレーム
１１  雌ネジ
１２  治具孔
１３  通気孔
１４  段差
４０  ペリクル
４１  ペリクル膜接着層
４２  ペリクル膜
４３  弾性体層
４４  フィルタ
７０  フォトマスク基板
７１  貫通孔
１０１  締結手段
１１１  雄ネジ
１１２  段付き部
１１３  大径部
１１４  円筒部
【図１】
2014211591.tif 000003
【図２】
2014211591.tif 000004
【図３】
2014211591.tif 000005
【図４】
2014211591.tif 000006
【図５】
2014211591.tif 000007
【図６】
2014211591.tif 000008
【図７】
2014211591.tif 000009
【図８】
2014211591.tif 000010
【図９】
2014211591.tif 000011
【図１０】
2014211591.tif 000012
【図１１】
2014211591.tif 000013